(57)【特許請求の範囲】
【請求項１】
上方を開放状態とした箱体の収納用空間部における矩形の開口部から、袋詰めした状態の塊状のシリコン材料を収納する際に案内するガイドシューターであって、
前記開口部に配置可能とされ、該開口部の少なくとも２辺に沿う複数のアーム部により屈曲状態の支持体と、該支持体の各アーム部に回転自在に支持されるとともに該アーム部から１枚ずつ垂れ下げられ、前記開口部を構成する側壁の上端部を覆うことが可能な柔軟材料からなるシート部材とを備えたことを特徴とするガイドシューター。
【請求項２】
前記シート部材は長方形状に形成されていることを特徴とする請求項１記載のガイドシュータ−。
【請求項３】
前記支持体は、前記開口部の少なくとも３辺に沿う複数のアーム部を有しており、これらアーム部にそれぞれ前記シート部材が備えられていることを特徴とする請求項１又は２記載のガイドシューター。
【請求項４】
前記支持体は、前記開口部の４辺に沿う複数のアーム部により矩形の枠状に形成され、各アーム部にそれぞれ前記シート部材が備えられていることを特徴とする請求項１又は２記載のガイドシューター
【請求項５】
前記支持体のアーム部を辺として構成される矩形は、前記開口部よりも大きい矩形に形成されることを特徴とする請求項１から４のいずれか一項に記載のガイドシューター。
【請求項６】
前記支持体には取っ手が設けられていることを特徴とする請求項１から５のいずれか一項に記載のガイドシューター。
【請求項７】
塊状のシリコン材料を袋詰めした状態で箱詰めするシリコン材料の梱包方法において、
上方を開放状態とした箱体の収納用空間部における開口部に、請求項１から６のいずれか一項に記載のガイドシューターにおける前記支持体を配置し、該ガイドシューターの前記シート部材を前記空間部の側壁の内側に垂れ下げた状態とし、このシート部材の内側から前記空間部に袋詰めした状態のシリコン材料を収納した後、前記ガイドシューターを取り外すことを特徴とするシリコン材料の梱包方法。
【発明の詳細な説明】
【技術分野】
【０００１】
本発明は、シリコン材料を袋詰めした状態で箱詰めする際に使用されるガイドシューター及びこのガイドシューターを使用してシリコン材料を梱包する方法に関する。
【背景技術】
【０００２】
従来より、多結晶シリコンを製造する方法として知られるシーメンス法は、反応炉内にクロロシランガスと水素ガスとを含む混合ガスからなる原料ガスを供給して、加熱したシリコン芯棒に接触させ、その表面に原料ガスの熱分解及び水素還元によって生じた多結晶シリコンを円柱状に析出させる方法である。
この多結晶シリコンは、短尺に切断したり破砕したりして塊状とされ、洗浄、乾燥させた後に、梱包され、単結晶シリコンの製造等のための材料として提供される。このシリコン材料の梱包作業は、例えば特許文献１に記載されるように、シリコン材料を大きさ別に分別した上で、その大きさ毎にポリエチレン樹脂等からなる袋に詰めた状態とし、輸送用の段ボール箱に収納するようにしている。
【特許文献１】特開２００６−１４３５５２号公報
【発明の開示】
【発明が解決しようとする課題】
【０００３】
一般に、箱の中には仕切り板が格子状に設けられ、その仕切り板によって区画された各空間内に、袋詰めしたシリコン材料が１個ずつ収納される。ところで、輸送中の振動等によって袋内のシリコン材料が動かないように仕切り板との間に隙間なく収納される。しかしながら、袋詰めしたシリコン材料を各空間内に収納する際には、空間の開口部で仕切り板の上端により袋が擦られて、破れ等が生じるおそれがある。
【０００４】
本発明は、このような事情に鑑みてなされたもので、袋に破れ等を生じさせることなく箱詰めすることができるガイドシューター及びこれを用いたシリコン材料の梱包方法を提供することを目的とする。
【課題を解決するための手段】
【０００５】
本発明のガイドシューターは、上方を開放状態とした箱体の収納用空間部における矩形の開口部から、袋詰めした状態の塊状のシリコン材料を収納する際に案内するガイドシューターであって、前記開口部に配置可能とされ、該開口部の少なくとも２辺に沿う複数のアーム部により屈曲状態の支持体と、該支持体の各アーム部に回転自在に支持されるとともに該アーム部から１枚ずつ垂れ下げられ、前記開口部を構成する側壁の上端部を覆うことが可能な柔軟材料からなるシート部材とを備えたことを特徴とする。
また、本発明のガイドシュータ−において、前記シート部材は長方形状に形成されているとよい。
【０００６】
この場合、前記支持体は、前記開口部の少なくとも３辺に沿う複数のアーム部を有しており、これらアーム部にそれぞれ前記シート部材が備えられている構成としてもよい。
さらに、前記支持体は、前記開口部の４辺に沿う複数のアーム部により矩形の枠状に形成され、各アーム部にそれぞれ前記シート部材が備えられている構成としてもよい。
また、これら本発明のガイドシューターにおいて、前記支持体のアーム部を辺として構成される矩形は、前記開口部よりも大きい矩形に形成される構成とするとよい。
また、これら本発明のガイドシューターにおいて、前記支持体には取っ手が設けられている構成とするとよい。
【０００７】
そして、本発明の梱包方法は、塊状のシリコン材料を袋詰めした状態で箱詰めするシリコン材料の梱包方法において、上方を開放状態とした箱体の収納用空間部における開口部に、請求項１から５のいずれか一項に記載のガイドシューターにおける前記支持体を配置し、該ガイドシューターの前記シート部材を前記空間部の側壁の内側に垂れ下げた状態とし、このシート部材の内側から前記空間部に袋詰めした状態のシリコン材料を収納した後、前記ガイドシューターを取り外すことを特徴とする。
【０００８】
すなわち、ガイドシューターを箱体の空間部における開口部に配置し、その空間部を構成している側壁の内側にシート部材を垂れ下げた状態とすると、該シート部材によって側壁の上端部が覆われた状態となり、その状態で袋詰めしたシリコン材料を投入すると、その袋は側壁に接触することなくシート部材の内面により案内されて、内部に収納される。収納した後は、ガイドシューターを引き上げれば、袋と側壁との間に垂れ下がっているシート部材を引き抜くことができる。
【０００９】
この場合、一般に箱体の中は格子状の仕切り板によって複数の空間部に区画されるが、支持体のアーム部が開口部の２辺に沿う構成とされたガイドシューターは、箱体の四隅に配置されている空間部に収納する場合に用いて好適である。また、支持体のアーム部が開口部の３辺に沿う構成とされたガイドシューターは、主として箱体の四隅を除く内側面に沿って配置される外周位置の各列の空間部に収納する場合で、箱体の側面の方が仕切り板より高い場合に用いられる。また、支持体のアーム部が開口部の４辺に沿う構成とされたガイドシューターは、外周位置の列を除く中央部分の空間部及び外周位置の空間部でも箱体の側面が仕切り板とほぼ同じ高さとなっている空間部に収納する場合に用いられる。
なお、本発明で側壁とは、箱体自体の側壁部材及び箱体の中に配置される仕切り板の両方を指すものとする。
【００１０】
また、ガイドシューターにおいて、支持体のアーム部を辺として構成される矩形が、開口部よりも大きい矩形に形成される構成とすることにより、開口部を形成している側壁の上端部をシート部材によって確実に覆うことができる。また、取っ手を有する構成とすることにより、その取り扱いを容易にすることができる。
【発明の効果】
【００１１】
本発明のガイドシューター及び梱包方法によれば、開口部を形成している側壁の上端部をガイドシューターのシート部材が覆った状態とし、そのシート部材の内面により案内しながら袋詰めしたシリコン材料を収納するので、袋が開口部の側壁上端に擦られることなく、円滑に収納することができる。
【発明を実施するための最良の形態】
【００１２】
以下、本発明の一実施形態を図面を参照しながら説明する。
まず、収納容器について説明しておくと、図８に示すように、この収納容器１は、蓋体２により上方を開閉可能な段ボール製の箱体３に、上下段を仕切る底板用の平板４と、左右を仕切るために格子状に組まれた側壁用仕切り板５とが複数組設けられている。例えば、平板４により上下４段に仕切られ、各段で仕切り板５によって６列６行の３６個の空間部６に仕切られている。各空間部６は、その開口部６ａが矩形となる直方体状に形成されている。また、この収納容器１の箱体３を構成している四つの側壁部材３ａ〜３ｄは、対向する一対の壁部材３ａ，３ｃは一枚ものとして形成されているが、他の一対の側壁部材３ｃ、３ｄは、図８（ｃ）に示すように、高さ方向の中間位置、つまり２段目と３段目との間の位置で屈曲自在とされ、その上半分が矢印で示すように外側に折り畳むことができるようになっている。
【００１３】
また、シリコン材料を収納する袋１１ａ，１１ｂは、二重に構成されており、それぞれ筒状体の底部が矩形に折り畳まれた状態で封止されている。この場合、底部の折り畳みにより生じるマチ部が重ならないように、外側の袋１１ａに内側の袋１１ｂを９０°向きを変えて収納している。そして、その内側の袋１１ｂにシリコン材料１２を収納した後、筒状体の上端部を畳むようにして複数回折り曲げた後、外側の袋１１ａの筒状体の上端部を同様にして畳むように複数回折り曲げる。このとき、内側の袋１１ｂと外側の袋１１ａとで９０°向きが変えられているので、筒状体の上端部の折り曲げ部１３も９０°クロスするように配置される。このようにしてシリコン材料１２を袋１１ａ，１１ｂに収納した状態のものをシリコン梱包物１４と称することとする。
そして、ガイドシューターは、収納容器１に形成されている空間部６の位置に対応して、図１に示す四隅用ガイドシューター２１と、図２に示す外周用ガイドシューター２２と、図３に示す中央部用ガイドシューター２３との三種類が備えられている。いずれのガイドシューターも、支持体２４〜２６と複数枚のシート部材２７とから構成されており、支持体２４〜２６に取っ手２８が一体に設けられている。
【００１４】
四隅用ガイドシューター２１は、収納容器１の特定の段（この実施形態の場合１段目と３段目）における四隅の空間部（図８（ａ）にハッチングして示す空間部）６にシリコン梱包物１４を収納するためのものであり、この四隅の空間部６における仕切り板５の直交する２辺に沿って配置されるようになっている。すなわち、図１に示すように、このガイドシューター２１の支持体２４は、前記２辺に沿うように直角に交差する一対のアーム部３１によって形成されている。これらアーム部３１は一体構造の棒状のものであり、その長さ方向の途中位置が９０°に屈曲されることにより支持体２４を構成している。これらアーム部３１の長さは、空間部６の一辺の長さよりも大きく形成されている。また、各アーム部３１に、ポリエチレン等の柔軟性を有する合成樹脂からなるシート部材２７が垂れ下げられている。このシート部材２７は、長方形状に形成されるとともに、その一辺がループ状に巻回されており、その巻回部２７ａの中にアーム部材３１が挿通されることにより、該アーム部材３１に回転自在に支持され、重力によって垂れ下げられた状態とされている。なお、このシート部材２７の上下方向の長さは、空間部６の深さよりも若干小さく設定される。
【００１５】
外周用ガイドシューター２２は、収納容器１の特定の段（１段目と３段目）における四隅の空間部を除き、他の外周位置の各列の空間部（図８（ａ）にハッチングした空間部を除く外周位置の空間部）６にシリコン梱包物１４を収納するためのものであり、これら空間部６おける外側位置の辺を除く３辺に沿って配置されるようになっている。すなわち、図２に示すように、このガイドシューター２２の支持体２５は、前記３辺に沿うように直角のコ字状をなす３箇所のアーム部３１によって形成されており、四隅用ガイドシューター２１と同様、棒状のものの途中の二箇所を９０°ずつ屈曲した一体構造のものである。この場合も、各アーム部３１は、その長さが空間部６の一辺の長さよりも大きく形成され、各アーム部３１に、シート部材２７が一枚ずつ垂れ下げられた構成である。
【００１６】
また、中央部用ガイドシューター２３は、収納容器１の外周位置を除く中央部の各空間部６、外周位置の空間部でも側壁部材３ａ〜３ｄの上端と仕切り板５の上端とが同じ高さ位置となる最上段の空間部、及び図８（ｃ）の鎖線で示すように側壁部材１ｂ、１ｄを折り畳んだ状態としたときにその折り畳んだ側壁部材３ｂ、３ｄの上端と仕切り板５の上端とが同じ高さ位置となる２段目の空間部（いずれも四隅の空間部は除く）にシリコン梱包物１４を収納するためのものである。
図３に示すように、このガイドシューター２３の支持体２６は、この空間部６の４辺に沿う矩形の枠状に形成されている。他のガイドシューター２１，２２と同様に、支持体２６を構成している４箇所のアーム部３１は、その長さが空間部６の４辺の長さよりも大きく形成されていることにより、該空間部６よりも若干大きい枠状に形成されている。そして、これらアーム部３１にシート部材２７が一枚ずつ垂れ下げられている。
【００１７】
次に、このように構成したガイドシューター２１〜２３を使用しながら、シリコン梱包物１４を１個ずつ収納容器１の空間部６内に収納する方法について説明する。
まず、収納容器１の四隅の空間部６においては、四隅用ガイドシューター２１を使用し、その支持体２４を図４に示すように空間部６の開口部６ａの二辺に沿って配置する。９０°に屈曲状態に配置されたアーム部材３１によって四隅の空間部６の開口部６ａ上方を収納容器１の側壁部材（図示例の場合３ａ，３ｂ）との間で囲むようにするのである。このとき、両アーム部材３１に支持されているシート部材２７を空間部６内に垂れ下げると、アーム部材３１が空間部６の開口部６ａの辺よりも大きい長さを有しているため、開口部６ａの外側に配置されることになり、そのため、シート部材２７が仕切り板５の上端部を覆った状態になる。この状態で、シリコン梱包物１４をシート部材２７の上から空間部６内に収納すると、該シート部材２７の表面で滑るようにして奥の方に案内される。シリコン梱包物１４を空間部６内に収納したら、支持体２４を上昇させることにより、シリコン梱包物１４と仕切り板５との間からシート部材２７が引き抜かれる。
【００１８】
また、収納容器１の１段目又は３段目の四隅を除く外周位置の空間部６にシリコン梱包物１４を収納する場合は、外周用ガイドシューター２２を使用する。この１段目又は３段目は、仕切り板５よりも収納容器１の側壁部材３ａ〜３ｄの方が４辺とも高くなっており、これを１個の空間部６で見ると、図５に示すように、その外側の一つの辺には収納容器１の側壁部材（図示例の場合は３ｂ）が配置され、他の３辺は仕切り板５が配置される。したがって、その側壁部材３ａに両側のアーム部３１の先端を当てるようにして支持体２５を空間部６の開口部６ａに配置する。そして、各シート部材２７を空間部６内に垂れ下げた状態とすることにより仕切り板５の上端部を覆った状態として、シリコン梱包物１４をシート部材２７に案内させながら収納する。
【００１９】
また、収納容器１の中央部の空間部６にシリコン梱包物１４を収納する場合は、中央部用ガイドシューター２３が用いられる。このガイドシューター２３の支持体２６は空間部６の開口部６ａよりも大きい枠状に形成されているので、その開口部６ａを形成している仕切り板５の外側を囲むように支持体２６が配置される。したがって、この支持体２６の各アーム部３１に支持されているシート部材２７を空間部６内に垂れ下げることにより、各仕切り板５の上端部がシート部材２７によって覆われた状態となり、この状態で、シート部材２７の表面上を滑らせるようにシリコン梱包物１４を空間部６内に収納すればよい。
【００２０】
このようにして空間部６の位置に応じてガイドシューターを使い分けることにより、開口部６ａを形成している仕切り板５等の上端部をシート部材２７により覆った状態とすることができるので、シリコン梱包物１４を各空間部６に収納する際に、その袋１２が仕切り板５等の上端により擦れて破れるなどの損傷が発生することを確実に防止することができる。
【００２１】
なお、本発明は上記実施形態に限定されるものではなく、本発明の趣旨を逸脱しない範囲において種々の変更を加えることが可能である。
例えば、上記実施形態では、三つのガイドシューターを使い分けたが、図９に示すように、外周用のガイドシューターとして使用可能な三つのアーム部３１を有するガイドシューター３２に、その支持体３３の両端に配置されるアーム部３１の先端に穴３４を形成しておき、この穴３４に、他の辺のためのアーム部材３５の両端部３５ａを差し込むことにより、中央部用ガイドシューターとして使用可能になる構成のものも採用することができる。
【図面の簡単な説明】
【００２２】
【図１】本発明に係るガイドシューターの一実施形態として四隅用ガイドシューターを示す斜視図である。
【図２】外周用ガイドシューターを示す斜視図である。
【図３】中央部用ガイドシューターを示す斜視図である。
【図４】四隅用ガイドシューターを収納容器の開口部に配置してシリコン梱包物を収納する状態を示した斜視図である。
【図５】外周用ガイドシューターを収納容器の開口部に配置してシリコン梱包物を収納する状態を示した斜視図である。
【図６】中央部用ガイドシューターを収納容器の開口部に配置してシリコン梱包物を収納する状態を示した斜視図である。
【図７】図６のＡ−Ａ線に沿う矢視断面図である。
【図８】収納容器の例を示すもので、（ａ）が平面図、（ｂ）がその縦断面図、（ｃ）が（ｂ）とは直交する方向の縦断面図である。
【図９】本発明に係るガイドシューターの変形例を示す斜視図である。
【符号の説明】
【００２３】
１  収納容器
２  蓋体
３  箱体
３ａ〜３ｄ  側壁部材（側壁）
４  平板
５  仕切り板（側壁）
６  空間部
６ａ  開口部
１１ａ，１１ｂ  袋
１２  シリコン材料
１３  折り曲げ部
１４  シリコン梱包物
２１  四隅用ガイドシューター
２２  外周用ガイドシューター
２３  中央部用ガイドシューター
２４〜２６  支持体
２７  シート部材
２８  取っ手
３１  アーム部
３２  ガイドシューター
３３  支持体
３４  穴
３５  アーム部材
【図１】
0005119984.tif 000002
【図２】
0005119984.tif 000003
【図３】
0005119984.tif 000004
【図４】
0005119984.tif 000005
【図５】
0005119984.tif 000006
【図６】
0005119984.tif 000007
【図７】
0005119984.tif 000008
【図８】
0005119984.tif 000009
【図９】
0005119984.tif 000010